【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
無線フレームと，該無線フレームの少なくとも一つに設定される少なくとも二つの異なるガードインタバルと，トレーニングシンボル並びにその後に続く前記ガードインタバルの一つ及びシステム情報用シンボルを含む１又は複数の前記無線フレームと，を送信するように構成した送信器と，
前記各シンボルを更に処理できるようにするため，前記トレーニングシンボル後の前記システム情報の位置を判定するように構成したプロセッサであって，前記システム情報は前記ガードインタバルの少なくとも一つの長さを示すプロセッサと，
を備える装置。
【請求項２】
少なくとも一つの副チャネルに対して，トレーニングシーケンスを搬送する少なくともいくつかのビットが，前記システム情報を搬送する少なくともいくつかのビットとして変調シンボルにマップされるように更に構成する請求項１に記載の装置。
【請求項３】
少なくとも一つの副チャネルに対して，トレーニングシーケンスを搬送するすべてのビットが，前記システム情報を搬送するどのビットとも異なる変調シンボルにマップされるように更に構成する請求項１に記載の装置。
【請求項４】
変調シンボルに先行する固定長ガードインタバルは所定長のインタバルであり，前記ガードインタバルの少なくとも一つを示すシステム情報を搬送するビットが前記変調シンボルにマップされるように更に構成する請求項１に記載の装置。
【請求項５】
少なくとも一つの副チャネルに対して，ペイロード情報を搬送する少なくともいくつかのビットを，トレーニングシーケンスの後，かつ前記システム情報を搬送するどのシンボルよりも前に送信される変調シンボルにマップするように更に構成する請求項１に記載の装置。
【請求項６】
前記ガードインタバルの少なくとも一つが巡回プレフィクスを含むように更に構成する請求項１に記載の装置。
【請求項７】
前記システム情報はトレーニングシーケンスをも搬送する変調シンボルによって前記トレーニングシーケンスの直後に搬送され，前記トレーニングシーケンスと前記システム情報とを分離する所定長がゼロであるように更に構成する請求項１に記載の装置。
【請求項８】
請求項１に記載の装置を備える無線通信システムの無線接続ネットワーク要素であって，前記送信器は変調搬送波信号に反応して変調搬送波を無線で送信する無線接続ネットワーク要素。
【請求項９】
無線フレームと，該無線フレームの少なくとも一つに設定される少なくとも二つの異なるガードインタバルと，トレーニングシンボル並びにその後に続く前記ガードインタバルの一つ及びシステム情報用シンボルを含む１又は複数の前記無線フレームと，を送信するステップと，
前記各シンボルを更に処理できるようにするため，前記トレーニングシンボル後の前記システム情報の位置を判定するステップであって，前記システム情報は前記ガードインタバルの少なくとも一つの長さを示すステップと，
を有する方法。
【請求項１０】
少なくとも一つの副チャネルに対して，トレーニングシーケンスを搬送する少なくともいくつかのビットが，前記システム情報を搬送する少なくともいくつかのビットとして変調シンボルにマップされる請求項９に記載の方法。
【請求項１１】
少なくとも一つの副チャネルに対して，トレーニングシーケンスを搬送するすべてのビットが，前記システム情報を搬送するどのビットとも異なる変調シンボルにマップされる請求項９に記載の方法。
【請求項１２】
変調シンボルに先行する固定長ガードインタバルは所定長のインタバルであり，少なくともペイロード変調シンボルの前に置かれたガードインタバルを示すシステム情報を搬送するビットが変調中に前記変調シンボルにマップされる請求項９に記載の方法。
【請求項１３】
少なくとも一つの副チャネルに対して，ペイロード情報を搬送する少なくともいくつかのビットを，トレーニングシーケンスの後，かつ前記システム情報を搬送するどのシンボルよりも前に送信される変調シンボルにマップする請求項９に記載の方法。
【請求項１４】
前記ガードインタバルの少なくとも一つが巡回プレフィクスを含む請求項９に記載の方法。
【請求項１５】
前記システム情報がトレーニングシーケンスをも搬送する変調シンボルによって前記トレーニングシーケンスの直後に搬送され，前記トレーニングシーケンスと前記システム情報とを分離する所定長がゼロであるようにする請求項９に記載の方法。
【請求項１６】
計算機プロセッサが実行する計算機プログラムコードを組み込んだ計算機可読記憶媒体であって，前記計算機プログラムコードは請求項９に記載の方法を実行する命令を含む計算機可読記憶媒体。
【請求項１７】
無線フレームと，該無線フレームの少なくとも一つに設定される少なくとも二つの異なるガードインタバルと，トレーニングシンボル並びにその後に続く前記ガードインタバルの一つ及びシステム情報用シンボルを含む１又は複数の前記無線フレームと，を受信するように構成した受信器と，
前記各シンボルを更に処理できるようにするため，前記トレーニングシンボル後の前記システム情報の位置を判定するように構成したプロセッサであって，前記システム情報は前記ガードインタバルの少なくとも一つの長さを示すプロセッサと，
を備える装置。
【請求項１８】
前記システム情報から前記ガードインタバルの長さを示す情報を得るように更に構成する請求項１７に記載の装置。
【請求項１９】
ペイロードシンボルを復調する際に，前記ガードインタバルの長さを示す情報を用いるように更に構成する請求項１８に記載の装置。
【請求項２０】
請求項１７に記載の装置を備える移動機であって，前記受信器は変調搬送波信号を受信するように構成する移動機。
【請求項２１】
無線フレームと，該無線フレームの少なくとも一つに設定される少なくとも二つの異なるガードインタバルと，トレーニングシンボル並びにその後に続く前記ガードインタバルの一つ及びシステム情報用シンボルを含む１又は複数の前記無線フレームと，を受信するステップと，
前記各シンボルを更に処理できるようにするため，前記トレーニングシンボル後の前記システム情報の位置を判定するステップであって，前記システム情報は前記ガードインタバルの少なくとも一つの長さを示すステップと，
を有する方法。
【請求項２２】
前記システム情報から前記ガードインタバルの長さを示す情報を得るステップを更に有する請求項２１に記載の方法。
【請求項２３】
ペイロードシンボルを復調する際に，前記ガードインタバルの長さを示す情報を用いるステップを更に有する請求項２２に記載の方法。
【請求項２４】
計算機プロセッサが実行する計算機プログラムコードを組み込んだ計算機可読記憶媒体であって，前記計算機プログラムコードは請求項２１に記載の方法を実行する命令を含む計算機可読記憶媒体。
【請求項２５】
少なくとも１つの移動機と通信するように構成した少なくとも１つの要素を含む無線接続ネットワークと，前記少なくとも１つの移動機を備え，前記の無線接続ネットワーク要素は請求項１に記載の装置を含むシステム。
【請求項２６】
少なくとも１つの移動機と通信するように構成した少なくとも１つの要素を含む無線接続ネットワークと，前記少なくとも１つの移動機を備え，前記移動機は請求項１に記載の装置を含むシステム。
【請求項２７】
請求項９に記載の方法によって動作するようにした特定用途集積回路。
【請求項２８】
請求項２１に記載の方法によって動作するようにした特定用途集積回路。
【請求項２９】
無線フレームと，該無線フレームの少なくとも一つに設定される少なくとも二つの異なるガードインタバルと，トレーニングシンボル並びにその後に続く前記ガードインタバルの一つ及びシステム情報用シンボルを含む１又は複数の前記無線フレームと，を送信する手段と，
前記各シンボルを更に処理できるようにするため，前記トレーニングシンボル後の前記システム情報の位置を判定する手段であって，前記システム情報は前記ガードインタバルの少なくとも一つの長さを示す手段と，
を備える装置。
【請求項３０】
少なくとも一つの副チャネルに対して，トレーニングシーケンスを搬送する少なくともいくつかのビットが，前記システム情報を搬送する少なくともいくつかのビットとして変調シンボルにマップされるように更に構成する請求項２９に記載の装置。
【請求項３１】
少なくとも一つの副チャネルに対して，トレーニングシーケンスを搬送するすべてのビットが，前記システム情報を搬送するどのビットとも異なる変調シンボルにマップされるように更に構成する請求項２９に記載の装置。
【請求項３２】
無線フレームと，該無線フレームの少なくとも一つに設定される少なくとも二つの異なるガードインタバルと，トレーニングシンボル並びにその後に続く前記ガードインタバルの一つ及びシステム情報用シンボルを含む１又は複数の前記無線フレームと，を受信する手段と，
前記各シンボルを更に処理できるようにするため，前記トレーニングシンボル後の前記システム情報の位置を判定する手段であって，前記システム情報は前記ガードインタバルの少なくとも一つの長さを示す手段と，
を備える装置。
【請求項３３】
少なくとも一つの副チャネルに対して，トレーニングシーケンスを搬送する少なくともいくつかのビットが，前記システム情報を搬送する少なくともいくつかのビットとして変調シンボルにマップされるように更に構成する請求項３２に記載の装置。
【請求項３４】
少なくとも一つの副チャネルに対して，トレーニングシーケンスを搬送するすべてのビットが，前記システム情報を搬送するどのビットとも異なる変調シンボルにマップされるように更に構成する請求項３３に記載の装置。